(57)【要約】【課題】スリットダム本体に対して礫体捕捉部材を取り付ける場合において、無駄な部材の使用を極力低減することができ、これに伴い材料コストの低減を図ることが可能であるとともに、礫体捕捉部材をスリットダム本体に取り付けるための現場での作業数を低減させることのできる鋼製スリットダムを提供する。【解決手段】川幅方向に間隔を空けて傾斜して立設された複数の支柱１１と、複数の支柱１１の互いに対向する側部１１ａにおいて、当該支柱１１の軸方向に沿うとともに河川７の流れ方向に間隔を空けて略平行に配置された二枚のガイドプレート２１、２３と、川幅方向両側の二枚のガイドプレート２１、２３間に両端部３１ａが配置された礫体捕捉部材３１とを備える。礫体捕捉部材３１は、その上側又は下側の少なくとも何れかに配置された間隔保持部材４１を介して上下方向に間隔を空けて複数積み重ねられている。【選択図】図３
2011094356.tif 000002
【特許請求の範囲】
【請求項１】
河川の川幅方向に間隔を空けて構築された堤体間に配置される鋼製スリットダムにおいて、
前記川幅方向に間隔を空けて前記河川の流れ方向に傾斜して立設された複数の支柱と、
前記複数の支柱の互いに対向する側部において、当該支柱の軸方向に沿うとともに前記流れ方向に間隔を空けて略平行に配置された二枚のガイドプレートと、
前記川幅方向両側の前記二枚のガイドプレート間に両端部が配置された礫体捕捉部材とを備え、
前記礫体捕捉部材は、その上側又は下側の少なくとも何れかに配置された間隔保持部材を介して上下方向に間隔を空けて複数積み重ねられていること
を特徴とする鋼製スリットダム。
【請求項２】
前記間隔保持部材は、その上側又は下側の何れか一方の前記礫体捕捉部材にのみ固着されていること
を特徴とする請求項１記載の鋼製スリットダム。
【請求項３】
前記複数の礫体捕捉部材は、その上端側の礫体捕捉部材が下流側の前記ガイドプレートに連結されていること
を特徴とする請求項１又は２記載の鋼製スリットダム。
【請求項４】
前記礫体捕捉部材は、前記流れ方向の両側に前記二枚のガイドプレートと略平行なスライド面を有し、その軸方向回りの回動時において前記流れ方向の両側のスライド面が前記二枚のガイドプレートに同時に接触可能とされていること
を特徴とする請求項１〜３の何れか１項記載の鋼製スリットダム。
【請求項５】
前記礫体捕捉部材は、中空断面の円形管状に形成されるとともに、その両端部が角筒状の外装部材内に配置されて当該外装部材に固着されており、
前記外装部材は、前記流れ方向の両側に前記二枚のガイドプレートと略平行なスライド面を有し、前記礫体捕捉部材のその軸方向回りの回動時において前記流れ方向の両側のスライド面が前記二枚のガイドプレートに同時に接触可能とされていること
を特徴とする請求項１〜３の何れか１項記載の鋼製スリットダム。
【請求項６】
前記二枚のガイドプレートは、前記礫体捕捉部材の端部を当該二枚のガイドプレート間に上流側から挿入可能とするための挿入口がその上端側に形成されていること
を特徴とする請求項１〜５の何れか１項記載の鋼製スリットダム。
【請求項７】
前記二枚のガイドプレートの下端側において配置された支持部材を更に備え、
前記複数の礫体捕捉部材は、その下端側の礫体捕捉部材の端部が前記支持部材により支持されていること
を特徴とする請求項１〜６の何れか１項記載の鋼製スリットダム。
【請求項８】
前記複数の支柱は、前記流れ方向に間隔を空けて列状に複数列立設されるとともに、最上流側のものが上端から下端に向かうにつれて上流側に傾斜して立設され、
前記二枚のガイドプレート及び前記礫体捕捉部材は、前記最上流側の複数の支柱に設けられていること
を特徴とする請求項１〜７の何れか１項記載の鋼製スリットダム。
【請求項９】
請求項１〜８の何れか１項記載の鋼製スリットダムに用いられること
を特徴とする礫体捕捉部材。
【請求項１０】
請求項１〜８の何れか１項記載の複数の支柱を有するスリットダム本体に対して前記礫体捕捉部材を取り付ける方法であって、
前記複数の支柱の互いに対向する側部に配置された二枚のガイドプレート間に前記礫体捕捉部材の両端部を上端側から挿入することを繰り返すことにより、当該礫体捕捉部材を前記間隔保持部材を介して上下方向に間隔を空けて複数積み重ねて配置すること
を特徴とする礫体捕捉部材の取り付け方法。
【発明の詳細な説明】
【技術分野】
【０００１】
本発明は、河川の土石流、流木対策用等として好適に用いられる鋼製スリットダム、これに用いられる礫体捕捉部材及びその取り付け方法に関するものである。
【背景技術】
【０００２】
従来より、土石流発生時に河川を流れる巨礫、流木等の礫体が河川下流側へ流出するのを防止するため、図１２に示すような鋼製スリットダム１０１が提案されている。この鋼製スリットダム１０１は、複数の鋼管部材を組み合わせて形成される骨組構造体としてのスリットダム本体１１０から構成されている。
【０００３】
このスリットダム本体１１０は、河川１０７の川幅方向に間隔を空けて構築される堤体１０３間に配置されるもので、川幅方向に間隔を空けて立設された複数の支柱１１１と、支柱１１１に接続された横梁１１３とを備えている。河川１０７の上流側から下流側にかけて流れてくる比較的粒径の大きな礫体や流木等は、このスリットダム本体１１０に衝突することによって捕捉されることになる。
【０００４】
ところで、近年においては、家屋等が周囲に多く存在する河川の上流側においてこのような鋼製スリットダムが配置されるケースが増加してきている。このため、保全対象となる下流側の家屋等の安全性を確保する観点から、土石流中に含まれる粒径の小さい中小礫も捕捉可能となるよう礫体捕捉性能を向上させた構造の鋼製スリットダムの提案が望まれている。
【０００５】
このような構造の鋼製スリットダムとしては、例えば、特許文献１、２に開示のようなものが提案されている。特許文献１において提案されている鋼製スリットダムは、リングネット、エキスパンドメタル、Ｈ形鋼等によって構成される礫捕捉用部材をスリットダム本体に上流側から取り付けることを特徴としている。特許文献２において提案されている鋼製スリットダムは、複数本の縦桟、横桟を格子状に組んで構成される中小礫捕捉部材をスリットダム本体に上流側から取り付けることを特徴としている。
【０００６】
何れの文献においても、スリットダム本体に対して礫体捕捉用の部材を取り付けることによって、川幅方向に間隔を空けて立設されている複数の支柱間を通過しようとする礫体をその礫体捕捉用の部材によって捕捉する構造の鋼製スリットダムが開示されており、これによって、鋼製スリットダムの礫体捕捉性能の向上が図られている。
【先行技術文献】
【特許文献】
【０００７】
【特許文献１】特開２００５−２０１０１９号公報
【特許文献２】特開２００７−１９１９３６号公報
【発明の概要】
【発明が解決しようとする課題】
【０００８】
しかしながら、特許文献１に開示のＨ形鋼からなる礫捕捉用部材や特許文献２に開示のような中小礫捕捉部材のような礫体捕捉部材は、何れもスリットダム本体を構成する鋼管部材を上流側から交差して覆うような構造とされている。これは、礫体を捕捉する機能を有する部材がその交差部で二重に用いられていることを意味しており、その分、同機能を有する部材のために無駄な材料が用いられ、材料コストの高騰を招くこととなる。
【０００９】
また、特許文献２においては、礫体捕捉用の部材をスリットダム本体に取り付ける構造として、スリットダム本体に取り付けられたブラケットに対して礫体捕捉用の部材をボルトナットにより連結して取り付ける構造や、スリットダム本体に対して直接ボルトナットにより連結して取り付ける構造が開示されている。しかしながら、このような構造の場合、礫体捕捉用の部材をスリットダム本体に取り付ける際に多くの箇所でボルトナットによる連結作業を行う必要があり、現場での作業数が増大してしまうという問題が生じる。
【００１０】
そこで、本発明は、上述した問題点に鑑みて案出されたものであり、その目的とするところは、スリットダム本体に対して中小礫の捕捉を容易とする礫体捕捉部材を取り付ける場合において、無駄な部材の使用を極力低減することができ、これに伴い材料コストの低減を図ることが可能であるとともに、礫体捕捉部材をスリットダム本体に取り付けるための現場での作業数を低減させることのできる鋼製スリットダム、これに用いられる礫体捕捉部材及びその取り付け方法を提供することとにある。
【課題を解決するための手段】
【００１１】
本発明者は、上述した課題を解決するために、鋭意検討の末、下記の鋼製スリットダムを発明した。
【００１２】
第１発明に係る鋼製スリットダムは、河川の川幅方向に間隔を空けて構築された堤体間に配置される鋼製スリットダムにおいて、前記川幅方向に間隔を空けて傾斜して立設された複数の支柱と、前記複数の支柱の互いに対向する側部において、当該支柱の軸方向に沿うとともに前記河川の流れ方向に間隔を空けて略平行に配置された二枚のガイドプレートと、前記川幅方向両側の前記二枚のガイドプレート間に両端部が配置された礫体捕捉部材とを備え、前記礫体捕捉部材は、その上側又は下側の少なくとも何れかに配置された間隔保持部材を介して上下方向に間隔を空けて複数積み重ねられていることを特徴とする。
【００１３】
第２発明に係る鋼製スリットダムは、第１発明において、前記間隔保持部材は、その上側又は下側の何れか一方の前記礫体捕捉部材にのみ固着されていることを特徴とする。
【００１４】
第３発明に係る鋼製スリットダムは、第１発明又は第２発明において、前記複数の礫体捕捉部材は、その上端側の礫体捕捉部材が下流側の前記ガイドプレートに連結されていることを特徴とする。
【００１５】
第４発明に係る鋼製スリットダムは、第１発明〜第３発明の何れか一つの発明において、前記礫体捕捉部材は、前記流れ方向の両側に前記二枚のガイドプレートと略平行なスライド面を有し、その軸方向回りの回動時において前記流れ方向の両側のスライド面が前記二枚のガイドプレートに同時に接触可能とされていることを特徴とする。
【００１６】
第５発明に係る鋼製スリットダムは、第１発明〜第３発明の何れか一つの発明において、前記礫体捕捉部材は、中空断面の円形管状に形成されるとともに、その両端部が角筒状の外装部材内に配置されて当該外装部材に固着されており、前記外装部材は、前記流れ方向の両側に前記二枚のガイドプレートと略平行なスライド面を有し、前記礫体捕捉部材の軸方向回りの回動時において前記流れ方向の両側のスライド面が前記二枚のガイドプレートに同時に接触可能とされていることを特徴とする。
【００１７】
第６発明に係る鋼製スリットダムは、第１発明〜第５発明の何れか一つの発明において、前記二枚のガイドプレートは、前記礫体捕捉部材の端部を当該二枚のガイドプレート間に上流側から挿入可能とするための挿入口がその上端側に形成されていることを特徴とする。
【００１８】
第７発明に係る鋼製スリットダムは、第１発明〜第６発明の何れか一つの発明において、前記二枚のガイドプレートの下端側において配置された支持部材を更に備え、前記複数の礫体捕捉部材は、その下端側の礫体捕捉部材の端部が前記支持部材により支持されていることを特徴とする。
【００１９】
第８発明に係る鋼製スリットダムは、第１発明〜第７発明の何れか一つの発明において、前記複数の支柱は、前記流れ方向に間隔を空けて列状に複数列立設されるとともに、最上流側のものが上端から下端に向かうにつれて上流側に傾斜して立設され、前記二枚のガイドプレート及び前記礫体捕捉部材は、前記最上流側の複数の支柱に設けられていることを特徴とする。
【００２０】
第９発明に係る礫体捕捉部材は、第１発明〜第８発明の何れか一つの発明に係る鋼製スリットダムに用いられることを特徴とする。
【００２１】
第１０発明に係る礫体捕捉部材の取り付け方法は、第１発明〜第８発明の何れか一つの発明に係る複数の支柱を有するスリットダム本体に対して前記礫体捕捉部材を取り付ける方法であって、前記複数の支柱の互いに対向する側部に配置された二枚のガイドプレート間に前記礫体捕捉部材の両端部を上端側から挿入することを繰り返すことにより、当該礫体捕捉部材を前記間隔保持部材を介して上下方向に間隔を空けて複数積み重ねて配置することを特徴とする。
【発明の効果】
【００２２】
第１発明に係る鋼製スリットダムによれば、礫体捕捉部材が損傷した場合に、交換による補修が必要な一部の部材以外は交換することなく補修が完了するため、余計な補修コストの発生を抑えることが可能となる。また、礫体を捕捉する機能を有する部材の無駄な使用が抑えられ、その分、材料コストを抑えることが可能となる。また、複数の支柱を有するスリットダム本体に対する礫体捕捉部材の取り付け作業時において必要となる作業の大半が、礫体捕捉部材の端部を二枚のガイドプレートの上端側から挿入して落下させるといった簡単な作業となっており、礫体捕捉部材を取り付けるための現場での作業数を大幅に低減させることが可能となっている。また、礫体捕捉部材の取り付け作業時に比較的小サイズ、小重量の礫体捕捉部材を一つずつ持ち上げてこの配置作業を行うことになるので、大型、高性能の重機が不要となる。
【００２３】
第３発明に係る鋼製スリットダムによれば、川幅方向両側の四枚一組のガイドプレート間に配置される総ての礫体捕捉部材がそのガイドプレートから抜け出るのを防止して安全性を高めることが可能となる。また、複数の礫体捕捉部材のうち、上端側の礫体捕捉部材のみを下流側のガイドプレートに連結するのみでよいため、礫体捕捉部材を取り付けるための現場での作業数を低減させることが可能となっている。
【００２４】
第４発明に係る鋼製スリットダムによれば、礫体捕捉部材の端部を二枚のガイドプレート間に挿入して落下させる際に、礫体捕捉部材が回動するのを防止でき、その礫体捕捉部材の配置作業時における作業性を向上させることが可能となる。また、礫体捕捉部材に対して礫体が衝突した際に、その下流側のスライド面が下流側のガイドプレートに面タッチするので、衝撃荷重が局所的ではなく分散して伝達され、ガイドプレートの耐久性を向上させることができる。
【００２５】
第５発明に係る鋼製スリットダムによれば、礫体捕捉部材として中空断面の円形管状のものを用いた場合でも、礫体捕捉部材の端部を二枚のガイドプレート間に挿入して落下させる際に、礫体捕捉部材が回動するのを防止でき、その礫体捕捉部材の配置作業時における作業性を向上させることが可能となる。また、礫体捕捉部材に対して礫体が衝突した際に、外装部材の下流側のスライド面が下流側のガイドプレートに面タッチするので、衝撃荷重が局所的ではなく分散して伝達され、ガイドプレートの耐久性を向上させることができる。
【００２６】
第６発明に係る鋼製スリットダムによれば、支柱に接続された横梁が二枚のガイドプレートの上端に近接している場合でも、礫体捕捉部材の端部を二枚のガイドプレート間へ挿入する作業が容易となる。
【図面の簡単な説明】
【００２７】
【図１】本発明に係る鋼製スリットダムの構成の一例を上流側からみた状態を示す一部横断正面図である。
【図２】図１のＡ−Ａ線断面図である。
【図３】川幅方向両側のガイドプレートとそのガイドプレート間に配置された礫体捕捉部材との構成を上流側からみた状態を示す正面図である。
【図４】図３のＢ−Ｂ線断面図である。
【図５】（ａ）は間隔保持部材が固着されている礫体捕捉部材の構成を示す正面図であり、（ｂ）はそのＣ−Ｃ線断面図である。
【図６】礫体捕捉部材の好ましい断面形状について説明するための側面断面図である。
【図７】礫体捕捉部材の他の断面形状を示す側面断面図である。
【図８】礫体捕捉部材をスリットダム本体に対して取り付ける方法について説明するための側面断面図である。
【図９】礫体捕捉部材をスリットダム本体に対して取り付ける方法について説明するための他の側面断面図である。
【図１０】礫体捕捉部材の他の実施形態の構成を上流側からみた状態を示す正面図である。
【図１１】図１０のＤ−Ｄ線断面図である。
【図１２】従来の鋼製スリットダムについて説明するための一部横断正面図である。
【発明を実施するための形態】
【００２８】
以下、本発明を適用した鋼製スリットダムを実施するための形態について、図面を参照しながら詳細に説明する。
【００２９】
図１は、本発明に係る鋼製スリットダム１の構成の一例を上流側からみた状態を示す一部横断正面図を示しており、図２は、そのＡ−Ａ線断面図を示している。
【００３０】
鋼製スリットダム１は、河川７の川幅方向に間隔を空けて構築された堤体３間に配置されるものであり、その堤体３間の河床９上には基礎コンクリート５が打設されている。堤体３は、河床９上に構築された剛性に優れた構造体から構成されるものであり、例えば、コンクリート等から構築される。また、堤体３は、この他に、複数の鋼矢板や鋼製セグメント等を組み合わせて筒状構造体や二重壁構造を構築し、その内部に土砂等を充填して構成されていてもよい。また、いわゆるインセム工法のような、現地発生土にセメントを混合して得られるソイルセメントを用いて堤体３を構築してもよいし、堤体３の構造、構築方法は公知のものであれば特に限定するものではない。
【００３１】
鋼製スリットダム１は、上下方向や水平方向等に延長されてなる複数の断面円形状の鋼管部材を組み合わせて形成される骨組構造体としてのスリットダム本体１０を備えている。図示の例では、河川７の川幅方向に間隔を空けて二つのスリットダム本体１０が配置されているが、スリットダム本体１０の数については特に限定するものではない。また、スリットダム本体１０を構成する鋼管部材は、断面角形状に形成されていてもよい。
【００３２】
本実施形態におけるスリットダム本体１０は、河川７の川幅方向や流れ方向に間隔を空けて基礎コンクリート５上に立設される複数の支柱１１と、支柱１１に接続された横梁１３とを備えている。本実施形態における支柱１１は、川幅方向に間隔を空けて立設されている複数の支柱１１を一単位列として、河川７の流れ方向に間隔を空けて列状に複数列立設されている。横梁１３は、本実施形態において、河川７の川幅方向や流れ方向に隣り合う支柱１１に接続されることによって、それらの支柱１１間に架設されている。
【００３３】
河川７の上流側に立設された複数の支柱１１は、その上端から下端に向かうにつれて河川７の上流側に傾斜するように設けられ、下流側に立設された複数の支柱１１は、その上端から下端に向かうにつれて河川７の下流側に傾斜するよう設けられている。各支柱１１は、その下端部が基礎コンクリート５内に埋め込み固定されている。
【００３４】
支柱１１は、その上端部や中間部から川幅方向や流れ方向に隣り合う支柱１１に向けて、横梁１３の一部を構成する水平部材１４が突出されている。水平部材１４の先端には環状のフランジ１５が固着されている。略同一方向に直列に配置された複数の水平部材１４は、互いにフランジ１５を当接させたうえでこれらをボルトナット等により固定することによって連結されており、これら直列に配置された複数の水平部材１４によって一つの横梁１３が構成されている。
【００３５】
ここで、本発明に係る鋼製スリットダム１は、複数の支柱１１の互いに対向する側部１１ａにおいて、支柱１１の軸方向に沿うとともに、河川７の流れ方向に間隔を空けて略平行に配置された二枚のガイドプレート２１、２３と、その川幅方向両側の二枚のガイドプレート２１、２３間に両端部３１ａが配置された礫体捕捉部材３１とを備えている。本実施形態においては、これらの二枚のガイドプレート２１、２３及び礫体捕捉部材３１が、河川７の上流側の複数の支柱１１に設けられている。
【００３６】
図３は、川幅方向両側のガイドプレート２１、２３とそのガイドプレート２１、２３間に配置された礫体捕捉部材３１との構成を上流側からみた状態を示す正面図であり、図４は、図３のＢ−Ｂ線断面図である。
【００３７】
ガイドプレート２１、２３は、複数の支柱１１の互いに対向する側部１１ａのそれぞれにつき所定長さのものが二枚配置されており、その川幅方向両側の二枚ずつを合わせた計四枚を一組として配置されている。礫体捕捉部材３１は、その川幅方向両側の四枚一組のガイドプレート２１、２３間において、その上側又は下側の少なくとも何れかに配置されたＬ形鋼等からなる間隔保持部材４１を介して上下方向に間隔を空けて複数積み重ねられている。
【００３８】
これら四枚一組のガイドプレート２１、２３や複数の礫体捕捉部材３１は、図１に示すように、一つのスリットダム本体１０を構成する複数の支柱１１間や、川幅方向に隣り合う複数のスリットダム本体１０を構成する複数の支柱１１間に配置されている。これによって、複数の礫体捕捉部材３１が複数の支柱１１間に架設された状態となり、複数の支柱１１間を通過しようとする礫体を礫体捕捉部材３１に衝突させることによって捕捉することが可能となっている。
【００３９】
ガイドプレート２１、２３は、図３に示すように、その川幅方向の基端部２４ａが支柱１１の側部１１ａに対して溶接等することによって固着されている。
【００４０】
本実施形態に係る鋼製スリットダム１は、この二枚のガイドプレート２１、２３の下端側において配置された支持部材２５を備えている。この支持部材２５は、二枚のガイドプレート２１、２３間に配置される下端側の礫体捕捉部材３１の端部３１ａを下側から支持するものである。本実施形態において支持部材２５は、平板状の部材から構成されており、礫体捕捉部材３１の端部３１ａを安定して支持できるようにその上面２５ａが支柱１１の軸方向と直交する方向と略平行に設けられている。支持部材２５は、図３に示すように、その川幅方向の基端部２５ｂが支柱１１の側部１１ａに対して溶接等することによって固着されている。
【００４１】
礫体捕捉部材３１は、本実施形態において、川幅方向両側の四枚一組のガイドプレート２１、２３間に配置される複数のもののうち、上端側に位置するものを除いたものが、その上側に配置される間隔保持部材４１に対して溶接等により固着されている。また、上端側に位置する一つの礫体捕捉部材３１のみが間隔保持部材４１に対して溶接等により固着されていないものとされている。以下においては、間隔保持部材４１が固着されていない礫体捕捉部材３１については礫体捕捉部材３１Ａとし、間隔保持部材４１が固着されている礫体捕捉部材３１については礫体捕捉部材３１Ｂとして説明する。
【００４２】
図５（ａ）は、間隔保持部材４１が固着されている礫体捕捉部材３１Ｂの構成を示す正面図であり、（ｂ）はそのＣ−Ｃ線断面図である。
【００４３】
礫体捕捉部材３１は、本実施形態においては、ウエブ部３３とウエブ部３３の両側に略平行に設けられたフランジ部３４とを有する断面Ｈ型のＨ形鋼から構成されている。この礫体捕捉部材３１は、図４等に示すように、その流れ方向の両側におけるフランジ部３４の外側面であるスライド面３６が二枚のガイドプレート２１、２３と略平行となるように配置される。この礫体捕捉部材３１は、図６に示すように、その礫体捕捉部材３１の軸方向回りの回動時において、その流れ方向の両側のスライド面３６が二枚のガイドプレート２１、２３に同時に接触可能となるように、その断面形状や大きさが調整されて形成されている。
【００４４】
礫体捕捉部材３１は、流れ方向の両側にこのようなスライド面３６を有する断面形状のものから形成されることが好ましい。これにより、後述のように、川幅方向両側の四枚一組のガイドプレート２１、２３間に礫体捕捉部材３１の両端部３１ａを挿入して落下させる際に、礫体捕捉部材３１が回動するのを防止でき、その礫体捕捉部材３１の配置作業時における作業性を向上させることができる。また、これにより、礫体捕捉部材３１に対して礫体が上流側から衝突した際に、その下流側のスライド面３６が下流側のガイドプレート２３に面タッチするので、衝撃荷重が局所的ではなく分散して伝達され、ガイドプレート２１、２３の耐久性を向上させることができる。このようなスライド面３６を有する断面形状としては、本実施形態のように断面Ｈ型のものの他に、図７（ａ）に示すような断面コ字状のもの、図７（ｂ）に示すような角形管状のものが挙げられる。
【００４５】
礫体捕捉部材３１は、スリットダム本体１０を構成する鋼管部材と異なり、礫体との衝突時において破断さえしなければ変形してもよいので、スリットダム本体１０を構成する鋼管部材より小サイズ、薄肉の低強度の部材を用いてもよく、これによって材料コストの低減を図るようにしてもよい。また、礫体捕捉部材３１は、図７（ｂ）に示すような、中空断面の角形管状や後述のような円形管状に形成されていることが好ましく、これにより、礫体との衝突時において礫体捕捉部材３１自体が大きく変形することによって礫体からの衝撃力を吸収しやすくなり、スリットダム本体１０に過度の衝撃力が加わるのを抑えることができるというメリットがある。
【００４６】
礫体捕捉部材３１は、本実施形態において、ウエブ部３３に複数の水抜き孔３５が形成されており、これにより、ウエブ部３３とフランジ部３４との間に水が貯まって礫体捕捉部材３１の腐食が進行するのを防止可能となっている。
【００４７】
川幅方向両側の四枚一組のガイドプレート２１、２３間に配置される複数の礫体捕捉部材３１Ｂは、図４に示すように、支持部材２５の上面２５ａ、間隔保持部材４１の上端面４１ａや下流側のガイドプレート２３に対して非固定の状態で支持されており、これらによって支承された状態で配置されている。
【００４８】
上端側の礫体捕捉部材３１Ａは、間隔保持部材４１の上端面４１ａに対して非固定の状態で支持されている。また、この礫体捕捉部材３１Ａは、下流側のガイドプレート２３に対して連結されている。具体的には、本実施形態では、下流側のガイドプレート２３とそのフランジ部３４を貫通するボルト５１にナット５３を螺合させることによって、上端側の礫体捕捉部材３１Ａがその下流側のガイドプレート２３に対して連結されている。なお、ここで用いられる連結手段は、この他に、クランプ金具等の公知の連結金具であれば特に限定するものではない。また、ナット５３は、予めガイドプレート２３に溶接等により固着されていてもよい。
【００４９】
間隔保持部材４１は、図５（ｂ）に示すように、例えば、その下端面４１ｂを礫体捕捉部材３１のウエブ部３３表面に当接させたうえで、これらを溶接等することによって礫体捕捉部材３１に対して固着される。本実施形態において間隔保持部材４１は、礫体捕捉部材３１の軸方向両側に略同一長さのものが一つずつ固着されている。
【００５０】
間隔保持部材４１は、川幅方向両側の四枚一組のガイドプレート２１、２３間に複数の礫体捕捉部材３１を積み重ねて配置するうえで、各礫体捕捉部材３１間の間隔が所定間隔に保持されるよう礫体捕捉部材３１に対して固着されるものである。この間隔保持部材４１の長さを調整することによって、複数の礫体捕捉部材３１間の間隔を調整できることになる。
【００５１】
間隔保持部材４１は、本実施形態において、川幅方向両側の四枚一組のガイドプレート２１、２３間に複数の礫体捕捉部材３１を積み重ねた際に、その下側に配置される礫体捕捉部材３１に対して溶接等により固着されている例を示したが、少なくともその下側又は上側の何れか一方の礫体捕捉部材３１にのみ固着されていればよい。なお、間隔保持部材４１は、その断面形状や礫体捕捉部材３１に対して固着される数等については特に限定するものではない。
【００５２】
礫体捕捉部材３１の端部３１ａは、二枚のガイドプレート２１、２３間に配置する際に、例えば、図４に示すような、二枚のガイドプレート２１、２３の上端側のこれらの間の間隙２７から挿入することになる。ここで、本実施形態のように、二枚のガイドプレート２１、２３の上端に近接して横梁１３が位置する場合、間隔保持部材４１の固着された礫体捕捉部材３１Ｂでは、その端部３１ａをこの間隙２７から挿入しようとする際に、間隔保持部材４１が横梁１３に引っ掛かるため挿入作業が困難となる。
【００５３】
そこで、本実施形態においては、上流側のガイドプレート２１の上端側において、礫体捕捉部材３１の端部３１ａを二枚のガイドプレート２１、２３間に上流側から挿入可能とするための挿入口２２が形成されている。この挿入口２２は、間隔保持部材４１の固着された礫体捕捉部材３１の端部３１ａをその挿入口２２から二枚のガイドプレート２１、２３間に挿入する際に、横梁１３に引っ掛かることなく挿入できる程度の大きさに形成されており、これによって、礫体捕捉部材３１Ｂの二枚のガイドプレート２１、２３間への挿入作業が容易となる。
【００５４】
この挿入口２２は、例えば、本実施形態のように、上流側のガイドプレート２１の上端側を切り欠いて形成されるものであるが、この他に、上流側のガイドプレート２１の上端側長さを下流側のガイドプレート２３の上端側長さより短くすることによって形成されていてもよい。
【００５５】
間隔保持部材４１は、本実施形態において、図３に示すように、上流側のガイドプレート２１の川幅方向先端部２４ｂより礫体捕捉部材３１の内側に位置するように固着されている。これにより、間隔保持部材４１の固着された礫体捕捉部材３１の端部３１ａを二枚のガイドプレート２１、２３間に挿入する際に、間隔保持部材４１を上流側のガイドプレート２１に引っ掛けることなく挿入することが可能となる。これは、間隔保持部材４１が下側に固着された礫体捕捉部材３１を四枚一組のガイドプレート２１、２３間にそれらの上端側から配置する場合に特に有効となり、これにより、挿入口２２を大幅に小さくすることが可能となる。
【００５６】
なお、本実施形態においては、四枚一組のガイドプレート２１、２３や複数の礫体捕捉部材３１が、支柱１１の下端側に設けられないように構成されており、これによって、支柱１１の下端側において、図１、図２に示すように、礫体捕捉部材３１や支柱１１、基礎コンクリート５によって囲まれた礫体透過空間６１が形成されている。このような礫体透過空間６１が形成されることにより、平常時において河川７を流れる中小礫等を礫体透過空間６１を通して積極的に透過させて、河川７の流れが妨げられるのを防止することが可能となる。
【００５７】
次に、このような礫体捕捉部材３１をスリットダム本体１０に対して取り付ける方法について、スリットダム本体１０の構築方法の一例とともに説明する。図８及び図９は、礫体捕捉部材３１をスリットダム本体１０に対して取り付ける方法について説明するための側面断面図である。
【００５８】
まず、河川７の河床９上に基礎コンクリート５を打設、固化させた後、その上でスリットダム本体１０を構成する各鋼管部材を組み合わせて基礎コンクリート５上にスリットダム本体１０を配置する。ここで組み合わせる鋼管部材には、工場等において予めガイドプレート２１、２３や支持部材２５を固着したものを用いれば、現場での作業数を低減させることができるので好ましい。続いて、スリットダム本体１０の支柱１１の下端から所定の高さまで基礎コンクリート５を更に打設し、基礎コンクリート５内に支柱１１の下端部を埋め込み固定させる。
【００５９】
以上が、スリットダム本体１０の構築方法の一例であるが、その構築方法については公知の如何なる方法を用いてもよいのは勿論である。また、堤体３は、スリットダム本体１０の構築と並行して行なうようにすればよい。
【００６０】
次に、図８（ａ）に示すように、川幅方向両側の四枚一組のガイドプレート２１、２３間に一つ目の礫体捕捉部材３１Ｂを配置する。具体的には、礫体捕捉部材３１Ｂをクレーン等の重機又は作業員が持ち上げたうえで、二枚のガイドプレート２１、２３の上端側における挿入口２２等から礫体捕捉部材３１Ｂの端部３１ａをその二枚のガイドプレート２１、２３間に挿入する。その後、重機又は作業員による持ち上げを解いて礫体捕捉部材３１Ｂを自重により落下させる。これにより、二枚のガイドプレート２１、２３に対して礫体捕捉部材３１Ｂの両側のスライド面３６がスライドしつつ落下し、支持部材２５に対して接触することによって礫体捕捉部材３１Ｂが静止し、一つ目の礫体捕捉部材３１Ｂの配置作業が終了する。
【００６１】
先行の礫体捕捉部材３１Ｂの配置作業が終了した後は、図８（ｂ）に示すように、先行の礫体捕捉部材３１と同じ要領で、後行の礫体捕捉部材３１Ｂの端部３１ａを二枚のガイドプレート２１、２３間にその上端側の挿入口２２等から挿入してこれを自重により落下させる。これにより、二枚のガイドプレート２１、２３に対して後行の礫体捕捉部材３１Ｂの両側のスライド面３６がスライドしつつ落下し、先行の礫体捕捉部材３１Ｂに固着された間隔保持部材４１に対して接触することによって礫体捕捉部材３１Ｂが静止し、後行の礫体捕捉部材３１Ｂの配置作業が終了する。
【００６２】
このような作業を繰り返すことにより、図９（ａ）に示すように、複数の礫体捕捉部材３１Ｂが間隔保持部材４１を介して上下方向に積み重ねて配置されることになる。
【００６３】
ここで、本実施形態における礫体捕捉部材３１は、河川７の流れ方向の両側に上述したようなスライド面３６を有しており、その礫体捕捉部材３１が軸方向回りに回動するのを防止することができるので、二枚のガイドプレート２１、２３間に礫体捕捉部材３１の端部３１ａを挿入した際の配向状態のままで礫体捕捉部材３１が落下して配置されることになる。このため、二枚のガイドプレート２１、２３間に先行の礫体捕捉部材３１の端部３１ａを挿入して配置した後は、その先行の礫体捕捉部材３１を回動させる等して位置決め作業を特にすることなく、後行の礫体捕捉部材３１の配置作業を行うことが可能となっており、その礫体捕捉部材３１の配置作業時における作業性が向上している。
【００６４】
上端側の礫体捕捉部材３１Ａを除く他の礫体捕捉部材３１Ｂを配置した後は、図８（ａ）に示すように、上端側の礫体捕捉部材３１Ａを他の礫体捕捉部材３１Ｂと同じ要領で配置し、その後に、図８（ｂ）に示すように、上端側の礫体捕捉部材３１Ａを下流側のガイドプレート２３に対してボルト５１、ナット５３等で連結して固定する。これによって、川幅方向両側の四枚一組のガイドプレート２１、２３間に複数の礫体捕捉部材３１が配置されて、これらがスリットダム本体１０に対して取り付けられることになる。
【００６５】
因みに、川幅方向両側の四枚一組のガイドプレート２１、２３間に配置される一部の礫体捕捉部材３１が損傷した場合、まず、一組のガイドプレート２１、２３間の上端側に位置する礫体捕捉部材３１Ａに連結されているボルト５１、ナット５３等を外す。続いて、その損傷した礫体捕捉部材３１が一組のガイドプレート２１、２３間から抜き出されるまで、上端側の礫体捕捉部材３１Ａ、３１Ｂから順に抜き出す。続いて、新設の礫体捕捉部材３１と抜き出した礫体捕捉部材３１Ａ、３１Ｂとを、上述したのと同じ要領で一組のガイドプレート２１、２３間に配置して、補修作業が完了する。
【００６６】
このように、本発明に係る鋼製スリットダム１によれば、礫体捕捉部材３１の取り付け作業時において必要となる作業の大半が、礫体捕捉部材３１の端部３１ａを二枚のガイドプレート２１、２３の上端側から挿入して落下させるといった簡単な作業となっている。また、この他に必要となる作業も、上端側の礫体捕捉部材３１Ａを下流側のガイドプレート２３にボルト５１等で連結するといった簡単な作業となっている。このため、本発明によれば、スリットダム本体１０に対して礫体捕捉部材３１を取り付けるための現場での作業数を大幅に低減させることが可能となっている。
【００６７】
また、本発明によれば、礫体捕捉部材３１の取り付け作業時において、間隔保持部材４１が固着されていない礫体捕捉部材３１Ａや、これに間隔保持部材４１が固着された礫体捕捉部材３１Ｂのような、比較的小サイズ、小重量のものを一つずつ持ち上げて配置作業を行うことになるので、大型、高性能の重機が不要となり、礫体捕捉部材３１の取り付け作業を容易に行うことが可能となっている。
【００６８】
次に、本発明に係る鋼製スリットダム１の作用や他の効果について説明する。
【００６９】
河川７の上流側から下流側にかけて流れてきた巨礫、流木、中小礫のうち、巨礫、流木は、主としてスリットダム本体１０に対して衝突してこのスリットダム本体１０によって捕捉される。また、中小礫は、主として礫体捕捉部材３１やスリットダム本体１０に対して衝突してこれらによって捕捉されることになる。
【００７０】
ここで、川幅方向両側の四枚一組のガイドプレート２１、２３間に配置される複数の礫体捕捉部材３１に負荷される礫体からの衝突荷重は、主として下流側のガイドプレート２３を介してスリットダム本体１０に伝達されることになる。また、下流側のガイドプレート２３が鉛直方向に傾斜して設けられているので、礫体捕捉部材３１に礫体から上向きの衝突荷重が負荷されるが、上端側の礫体捕捉部材３１が下流側のガイドプレート２３に連結されているので、この上向きの衝突荷重もその上端側の礫体捕捉部材３１から下流側のガイドプレート２３を介してスリットダム本体１０に伝達されることになる。即ち、川幅方向両側の四枚一組のガイドプレート２１、２３間に配置されている何れの礫体捕捉部材３１もが、ガイドプレート２１、２３が大きく変形したり支柱１１から外れたりしない限り、二枚のガイドプレート２１、２３間から抜け出ないように構成されていることになる。
【００７１】
なお、上端側の礫体捕捉部材３１が下流側のガイドプレート２３に連結されていなくとも、礫体との衝突時に過度に大きな衝突荷重が負荷されない限り上端側の礫体捕捉部材３１のみが二枚のガイドプレート２１、２３間から抜け出ないものと考えられる。しかし、川幅方向両側の四枚一組のガイドプレート２１、２３間に配置される総ての礫体捕捉部材３１が抜け出るのを防止して安全性を高めるうえでは上端側の礫体捕捉部材３１が下流側のガイドプレート２３に連結されていることが好ましい。
【００７２】
ここで、本発明に係る鋼製スリットダム１によれば、複数の礫体捕捉部材３１のうちの一部の礫体捕捉部材３１が損傷した場合に、交換による補修が必要な一部の部材以外は交換することなく補修が完了するため、余計な補修コストの発生を抑えることが可能となる。
【００７３】
また、礫体捕捉部材３１が、スリットダム本体１０を構成する鋼管部材を上流側から交差して覆うように設けられているのではなく、複数の支柱１１間に配置される構造となっている。このため、礫体を捕捉する機能を有する部材の無駄な使用が抑えられ、その分、材料コストを抑えることが可能となっている。
【００７４】
また、川幅方向両側の四枚一組のガイドプレート２１、２３間に配置される複数の礫体捕捉部材３１は、上端側に位置するもの以外がガイドプレート２１、２３等の他部材に対して非固定の状態とされているため、礫体捕捉部材３１と他部材を連結した場合に生じる温度応力によるその他部材への影響を抑えることが可能となっている。
【００７５】
以上、本発明の実施形態の例について詳細に説明したが、前述した実施形態は、何れも本発明を実施するにあたっての具体化の例を示したものに過ぎず、これらによって本発明の技術的範囲が限定的に解釈されてはならないものである。
【００７６】
例えば、本発明に係るスリットダム本体１０は、その支柱１１や横梁１３の数について特に限定するものではない。また、横梁１３は、川幅方向に間隔を空けて立設された３つ以上の支柱１１と交差するように接続されていてもよいし、その両端が堤体３内に埋め込まれた鞘管内に挿入されるよう構成されていてもよい。また、支柱１１に対して基礎コンクリート５から傾斜して立設された他の支柱１１が接続されていてもよい。
【００７７】
また、礫体捕捉部材３１が取り付けられるべき支柱１１は、上述の実施形態において説明したように、スリットダム本体１０の最上流側に立設された支柱１１とすることが好ましく、これによって、礫体捕捉部材３１に対して礫体が衝突する際に発生する衝突荷重を有効に基礎コンクリート５に分散させることができる。
【００７８】
また、上述の実施形態において説明した支持部材２５は、本発明において必須の構成となるものではなく、川幅方向両側の四枚一組のガイドプレート２１、２３間に配置される礫体捕捉部材３１を、基礎コンクリート５や横梁１３によって直接又は間隔保持部材４１を介して支持させるようにしてもよい。
【００７９】
図１０は、本発明に係る礫体捕捉部材３１の他の実施形態の構成を上流側からみた状態を示す正面図であり、図１１は、そのＤ−Ｄ線断面図である。
【００８０】
本実施形態においては、礫体捕捉部材３１が、円形鋼管のような中空断面の円形管状に形成されている。また、礫体捕捉部材３１は、その両端部３１ａが、角筒状の外装部材３８内に配置されるとともにその外装部材３８に溶接等により固着されている。また、この外装部材３８は、流れ方向の両側に二枚のガイドプレート２１、２３と略平行なスライド面３６を有している。この外装部材３８は、礫体捕捉部材３１の軸方向回りの回動時において、その流れ方向の両側のスライド面３６が二枚のガイドプレート２１、２３に同時に接触可能となるように、その大きさが調整されて形成されている。
【００８１】
このような外装部材３８を用いることによって、礫体捕捉部材３１として中空断面の円形管状のものを用いた場合でも、礫体捕捉部材３１が軸方向回りに回動するのを防止することができるので、二枚のガイドプレート２１、２３間に礫体捕捉部材３１の端部３１ａを挿入して配置する際に、その挿入した際の配向状態のまま礫体捕捉部材３１を配置することが可能となる。この結果、上述の実施形態において説明したのと同様に、二枚のガイドプレート２１、２３間に先行の礫体捕捉部材３１の端部３１ａを挿入した配置した後に、その先行の礫体捕捉部材３１を回動させる等して位置決め作業を特にすることなく、後行の礫体捕捉部材３１の配置作業を行うことが可能となっている。
【００８２】
このような中空断面の円形管状の礫体捕捉部材３１を用いた場合、一般に、このような断面形状の部材に関して礫体との衝突時の評価方法が他の断面形状のものより確立されているので、容易に設計を行なうことができるというメリットがある。また、これにより、礫体との衝突時において礫体捕捉部材３１自体が大きく変形することによって礫体からの衝撃力を吸収し易くなるというメリットもある。
【００８３】
因みに、本実施形態においては、間隔保持部材４１が礫体捕捉部材３１に固着される代わりに外装部材３８に固着されている。
【００８４】
また、本実施形態のような外装部材３８を用いた場合、川幅方向両側の四枚一組のガイドプレート２１、２３間に配置される複数の礫体捕捉部材３１のうち、上端側の礫体捕捉部材３１を下流側のガイドプレート２３に連結するうえで、外装部材３８や礫体捕捉部材３１の内部にボルト５１、ナット５３等を配置することが困難となる。このため、このような場合、次に説明するようなＬ形鋼等からなる連結部材３７を用いることとしてもよい。
【００８５】
この連結部材３７は、外装部材３８の上下面にその一側面が溶接等により固着されているものであり、例えば、その一側面と直交する他側面を下流側にガイドプレート２３に当接させたうえで、この他側面と下流側のガイドプレート２３とを貫通するボルト５１にナット５３を螺合させることによって、礫体捕捉部材３１が下流側のガイドプレート２３に連結されることになる。
【符号の説明】
【００８６】
１                            鋼製スリットダム
３                            堤体
５                            基礎コンクリート
７                            河川
１０                          スリットダム本体
１１                          支柱
１１ａ                        側部
１３                          横梁
２１                          ガイドプレート
２２                          挿入口
２３                          ガイドプレート
２５                          支持部材
３１（３１Ａ、３１Ｂ）        礫体捕捉部材
３６                          スライド面
３８                          外装部材
４１                          間隔保持部材
【図１】
2011094356.tif 000003
【図２】
2011094356.tif 000004
【図３】
2011094356.tif 000005
【図４】
2011094356.tif 000006
【図５】
2011094356.tif 000007
【図６】
2011094356.tif 000008
【図７】
2011094356.tif 000009
【図８】
2011094356.tif 000010
【図９】
2011094356.tif 000011
【図１０】
2011094356.tif 000012
【図１１】
2011094356.tif 000013
【図１２】
2011094356.tif 000014